(57)【特許請求の範囲】
【請求項１】
供給管挿通用の貫通孔が開設された水栓取付板部の上部に、供給管の挿通孔を有する水栓取り付け用のアダプターを、それらの両孔を連通させる状態で上方から固定し、このアダプターに水栓を取り付けるようにした水栓取付け機構であって、前記アダプターに、前記貫通孔に挿通可能な少なくとも２本のホルダーガイドを設けるとともに、このホルダーガイドの少なくとも１本を、上部に回転操作頭部を有するネジ部材にして、前記アダプターに対して回転可能に構成し、これらホルダーガイドに、前記貫通孔を上方から通過する第１姿勢と、回転に伴って水栓取付板部の下面に係止する第２姿勢とに、それぞれ切り換え可能にホルダーを設けるとともに、これらのホルダーの下方に、前記貫通孔を通過可能な大きさに形成してあり、かつ、供給管の挿通用空間を形成してある１個の締付金具を設け、この締付金具に、前記ネジ部材と成したホルダーガイドを螺着し、残りのホルダーガイドについては、これを前記締付金具に係止させて、ネジ部材と成したホルダーガイドの回転による前記締付金具の螺進に伴って上記ホルダーを持ち上げて、このホルダーとアダプターとによって水栓取付板部を挟着するように構成する一方、前記ホルダーガイドに取り付けられた前記締付金具およびその上方に位置する前記ホルダー間に、ホルダー下面に係合するスベリコアとこのスベリコアに当接するよう締付金具上面に位置するスベリ座とで構成される一対の樹脂製スベリ部材を設け、前記スベリコアと前記スベリ座との当接面を、前記ホルダーの第２姿勢への切り換わり状態で互いに密接するように形成して、当接面間でのカム作用による前記ホルダーの回転に伴って、このホルダーを第１姿勢から第２姿勢に切り換えるように構成して成ることを特徴とする水栓取付け機構。
【請求項２】
供給管挿通用の貫通孔が開設された水栓取付板部の上部に、供給管の挿通孔を有する水栓取り付け用のアダプターを、それらの両孔を連通させる状態で上方から固定し、このアダプターに水栓を取り付けるようにした水栓取付け機構であって、前記アダプターに、前記貫通孔に挿通可能な２本のホルダーガイドを設けるとともに、これらホルダーガイドを、上部に回転操作頭部を有するネジ部材にして、前記アダプターに対して回転可能に構成し、これらホルダーガイドに、前記貫通孔を上方から通過する第１姿勢と、回転に伴って水栓取付板部の下面に係止する第２姿勢とに、それぞれ切り換え可能にホルダーを設けるとともに、これらのホルダーの下方に、前記貫通孔を通過可能な大きさに形成してあり、かつ、供給管の挿通用空間を形成してある１個の締付金具を設け、この締付金具に、前記各ホルダーガイドを螺着し、ホルダーガイドの回転による前記締付金具の螺進に伴って上記ホルダーを持ち上げて、このホルダーとアダプターとによって水栓取付板部を挟着するように構成する一方、前記締付金具と前記ホルダーとの当接面を、前記ホルダーの第２姿勢への切り換わり状態で互いに密接するように形成して、当接面間でのカム作用による前記ホルダーの回転に伴って、このホルダーを第１姿勢から第２姿勢に切り換えるように構成して成ることを特徴とする水栓取付け機構。
【発明の詳細な説明】
【０００１】
【発明の属する技術分野】
この発明は、例えば台所の流し台などの水栓取付板部に対して、水栓取付板部上方からの一人作業によって水栓を取り付けることができるようにした水栓取付け機構に関するものである。
【０００２】
【従来の技術および発明が解決しようとする課題】
例えば混合湯水の吐水管を備えた湯水混合栓本体を台所の流し台のシンク背面側に位置する水栓取付板部（以下、単に面板という）上に取付けるにあたり、従来では、図８に示すように、作業者がシンク下部に潜り込み、座パッキン８１を装着した混合栓取付足８２にパッキン８３、座金８４およびロックナット８５をこの順に嵌込みながらロックナット８５を、混合栓取付足８２の外周面に形成したねじ部８６に締付けるというふうに下からの作業を行っていたから、作業時間と手間がかかり作業性が悪く、締付けが不十分であると混合栓本体８７が緩みだすといった問題がある上に、締付け時においては混合栓本体８７の共まわりを防止するために混合栓本体８７を押さえる別の作業者が必要であった。
【０００３】
この発明は、作業者が一人で、かつ、簡易に混合栓本体を面板上に取付けることができる水栓取付け機構を提供することを目的とする。
【０００４】
【課題を解決するための手段】
上記目的を達成するために、この発明は、供給管挿通用の貫通孔が開設された水栓取付板部の上部に、供給管の挿通孔を有する水栓取り付け用のアダプターを、それらの両孔を連通させる状態で上方から固定し、このアダプターに水栓を取り付けるようにした水栓取付け機構であって、前記アダプターに、前記貫通孔に挿通可能な少なくとも２本のホルダーガイドを設けるとともに、このホルダーガイドの少なくとも１本を、上部に回転操作頭部を有するネジ部材にして、前記アダプターに対して回転可能に構成し、これらホルダーガイドに、前記貫通孔を上方から通過する第１姿勢と、回転に伴って水栓取付板部の下面に係止する第２姿勢とに、それぞれ切り換え可能にホルダーを設けるとともに、これらのホルダーの下方に、前記貫通孔を通過可能な大きさに形成してあり、かつ、供給管の挿通用空間を形成してある１個の締付金具を設け、この締付金具に、前記ネジ部材と成したホルダーガイドを螺着し、残りのホルダーガイドについては、これを前記締付金具に係止させて、ネジ部材と成したホルダーガイドの回転による前記締付金具の螺進に伴って上記ホルダーを持ち上げて、このホルダーとアダプターとによって水栓取付板部を挟着するように構成する一方、前記ホルダーガイドに取り付けられた前記締付金具およびその上方に位置する前記ホルダー間に、ホルダー下面に係合するスベリコアとこのスベリコアに当接するよう締付金具上面に位置するスベリ座とで構成される一対の樹脂製スベリ部材を設け、前記スベリコアと前記スベリ座との当接面を、前記ホルダーの第２姿勢への切り換わり状態で互いに密接するように形成して、当接面間でのカム作用による前記ホルダーの回転に伴って、このホルダーを第１姿勢から第２姿勢に切り換えるように構成して成る。
【０００５】
また、この発明は別の観点から、供給管挿通用の貫通孔が開設された水栓取付板部の上部に、供給管の挿通孔を有する水栓取り付け用のアダプターを、それらの両孔を連通させる状態で上方から固定し、このアダプターに水栓を取り付けるようにした水栓取付け機構であって、前記アダプターに、前記貫通孔に挿通可能な２本のホルダーガイドを設けるとともに、これらホルダーガイドを、上部に回転操作頭部を有するネジ部材にして、前記アダプターに対して回転可能に構成し、これらホルダーガイドに、前記貫通孔を上方から通過する第１姿勢と、回転に伴って水栓取付板部の下面に係止する第２姿勢とに、それぞれ切り換え可能にホルダーを設けるとともに、これらのホルダーの下方に、前記貫通孔を通過可能な大きさに形成してあり、かつ、供給管の挿通用空間を形成してある１個の締付金具を設け、この締付金具に、前記各ホルダーガイドを螺着し、ホルダーガイドの回転による前記締付金具の螺進に伴って上記ホルダーを持ち上げて、このホルダーとアダプターとによって水栓取付板部を挟着するように構成する一方、前記締付金具と前記ホルダーとの当接面を、前記ホルダーの第２姿勢への切り換わり状態で互いに密接するように形成して、当接面間でのカム作用による前記ホルダーの回転に伴って、このホルダーを第１姿勢から第２姿勢に切り換えるように構成して成る。
【０００６】
【発明の実施の形態】
以下にこの発明の実施の形態について説明する。なお、この発明はそれによって限定されるものではない。
【０００７】
図１〜図５は、アダプター７に２本のホルダーガイド１４，１４を設け、これらホルダーガイド１４，１４をネジ部材にしてアダプター７に対して回転可能に構成するとともに、締付金具１６およびホルダー１５，１５間にスベリコアとスベリ座とで構成される一対の樹脂製スベリ部材を設けたこの発明の第１の実施形態を示す。
【０００８】
図１〜図５において、１は水栓の一例の湯水混合栓で、湯および水の供給管２，３と、湯水の混合比と止水を含む吐水量調節用のレバー４と、混合湯水の吐水管５とを備えて成る。
【０００９】
６は水栓取付け用のアダプター７を備えた水栓取付け機構で、前記供給管２，３を挿通するための貫通孔８が開設された水栓取付板部（以下、単に面板という）９の上部に、前記アダプター７を面板９上方から固定するように構成されている。
【００１０】
前記アダプター７は、面板９の貫通孔８よりも大径で、前記供給管２，３の挿通孔１１を形成するようにリング状に形成してある。そして、このアダプター７の内面部に、前記貫通孔８に臨ませる状態で２個のスリーブ体１２を膨出し、各スリーブ体１２に上下を貫く透孔１３を形成している。
【００１１】
１４，１４は、回転操作頭部Ｔを有するネジ部材としてのホルダーガイドで、これらのホルダーガイド１４，１４を、前記透孔１３に上方から回転可能に挿通し、かつ、ホルダーガイド１４，１４のそれぞれを、前記貫通孔８に対しても挿通可能に構成してある。そして、これらホルダーガイド１４，１４に、前記貫通孔８を上方から通過する第１姿勢〔図４（Ａ）参照〕と、回転に伴って図４（Ａ）に示す閉じた状態から図４（Ｂ）に示すように開いた状態で面板９の下面９ａに係止する第２姿勢とに、それぞれ切り換え可能にホルダー１５，１５を設けている。なお、図４（Ａ）、図４（Ｂ）において、７０はアダプター７の外周面を示している。
【００１２】
このホルダー１５は、羽根状で所定の厚みを有し、一端にはホルダーガイド１４が挿通可能な大きさの挿通孔１８が形成されている。また、挿通孔１８の近傍でホルダー１５他端寄りには係合孔１５ａが形成されている。すなわち、図５にも示すように、ホルダー１５は、一端側の下部を切欠いてあり、垂直段差ｍを介して厚みが小である一端部Ａと大である他端部Ｂで構成されており、この一端部Ａに先端側から前記挿通孔１８および係合孔１５ａがこの順で設けられている。
【００１３】
１６は、上面視略Ｕ字型で、前記貫通孔８を通過可能な大きさの１個の締付金具である。この締付金具１６には、前記供給管２，３の挿通を許容する挿通空間としての切欠１７が形成されている。また、両端部に、スリーブ体１６ａ，１６ａを膨出形成してある。このスリーブ体１６ａには、アダプター７に設けた前記透孔１３と同芯状の孔２０が形成されている。この孔２０は、ホルダーガイド１４の螺着用ネジ孔である。そして、ホルダーガイド１４，１４にそれぞれホルダー１５を前記挿通孔１８を通して保持させながら、続いて、締付金具１６の前記ネジ孔２０にホルダーガイド１４を螺着して、ホルダー１５の抜け止めを図っている。すなわち、水栓取付け時においては、ホルダーガイド１４に対して、上から順にアダプター７、ホルダー１５および締付金具１６が位置することになる。
【００１４】
更に、この発明では、締付金具１６およびホルダー１５間に、ホルダー１５の前記一端部Ａの下面（ホルダー下面）Ｓに係合するスベリコア２２とこのスベリコア２２に当接するよう締付金具１６のスリーブ体１６ａを覆うスベリ座２３とで構成される一対の樹脂製スベリ部材２４を設けている。
【００１５】
以下、このスベリ部材２４について説明する。
【００１６】
図２、図５に示すように、スベリコア２２は、前記ホルダー下面Ｓに係合した状態で前記垂直段差ｍに当接する側部垂直面ｆ1 、同じく係合状態でホルダー下面Ｓに当接する上部水平面ｆ2 、同じく係合状態で係合孔１５ａに係合する上部突起２５、同じく係合状態でホルダー１５に設けた前記挿通孔１８に連通する連通孔２６、底部水平スベリ面（当接面）ｆ3 および連通孔２６が位置する底部傾斜スベリ面（当接面）ｆ4 を有する。なお、図５において、ｎ，ｎは、スベリ面ｆ3 ，ｆ4 間に形成した左右一対の緩傾斜面である。
【００１７】
一方、スベリ座２３は、ホルダーガイド１４が挿通する挿通孔２７と、この挿通孔２７に連通するスリーブ体１６ａ収容部２８と、ホルダーガイド１４，１４が開いた第２姿勢〔図４（Ｂ）参照〕でスベリコア２２の前記底部傾斜スベリ面ｆ4 に当接する上部傾斜面（当接面）ｆ5 と、底面ｆ6 と、スリーブ体１６ａを覆った状態ではこの底面ｆ6 と締付金具１６の底面ａ6 が面一になるよう高さが設定された切欠３０を有する周面ｆ7 とを備えている。
【００１８】
更に、ホルダーガイド１４，１４が開いた状態〔図４（Ｂ）参照〕では、図１および図３に示したように、スベリコア２２の前記底部傾斜スベリ面ｆ4 とスベリ座２３の前記上部傾斜面ｆ5 が当接するが、この実施形態では、図３および図５に示したように、前記上部傾斜面ｆ5 を緩やかなアールを有する凹形状にしている。一方、前記底部傾斜スベリ面ｆ4 を緩やかなアールを有する凸形状にしている。
【００１９】
このように、締付金具１６のスリーブ体１６ａに取り付けられたスベリ座２３とホルダー１５の下面Ｓに取り付けられたスベリコア２２との当接面ｆ5 ，ｆ4 を、前記ホルダー１５の第２姿勢への切り換わり状態で互いに密接するように、外下がりになる傾斜面に形成して、傾斜面ｆ5 ，ｆ4 間でのカム作用によるホルダー１５の回転に伴って、このホルダー１５を第１姿勢から第２姿勢に切り換えるように構成している。
【００２０】
そして、上記の当接面ｆ5 ，ｆ4 として、この実施形態では、図５に示すように、３０度の傾斜角α，βを持つ傾斜面としているが、これを外下がりになる単一平面の傾斜面にしてもよいのであり、かつ、傾斜角にしても、３０度に限られるものではなく、２０度から６０度の範囲など、任意に設定可能である。また、スベリ座２３とスベリコア２２との当接面を外上がりになる傾斜面に形成してもよい。更に、スベリ座２３とスベリコア２２との当接面を水平面に形成してもよい。
【００２１】
上記の構成によれば、ホルダーガイド１４，１４に設けた２個のホルダー１５を、スベリ部材２４を介して指で寄せ集めるように回転させ、このホルダー１５を第１姿勢〔図４（Ａ）参照〕にして面板９の貫通孔８に嵌め込み、貫通孔８を通過させると、前記傾斜面ｆ5 ，ｆ4 間でのカム作用でホルダー１５が回転して、ホルダー１５が第１姿勢から第２姿勢〔図３、図４（Ａ）参照〕に切り換わる。
【００２２】
この場合、ホルダー１５，１５は自重で自然に開いて（回転して）第２姿勢に切り換わるが、スベリ座２３とスベリコア２２は樹脂製であることから、金属製のものに比してスベリ易い。つまり、潤滑性が良好であるから、必要に応じてアダプター７を往復回転させてホルダー１５，１５に回転方向の遠心力を与えなくても、ホルダー１５，１５を確実に第２姿勢に切り換えさせることができる。
【００２３】
ここで、ホルダーガイド１４，１４を右ネジにした場合、一方のホルダーガイド１４を面板９の上方で右回転させると、この回転に伴って締付金具１６が、スベリ部材２４を介して第２姿勢に切り換えられた２個のホルダー１５を持ち上げる。
このとき、一方のホルダーガイド１４を右回転させるだけであるから、まず、ホルダーガイド１４に螺着している締付金具１６のスリーブ体１６ａ，１６ａのうち、一方のホルダーガイド１４のスリーブ体１６ａが一方のホルダーガイド１４に沿って螺進により上昇するだけで、他方のホルダーガイド１４の回転操作頭部Ｔが、アダプター７のスリーブ体１２から、一方のホルダーガイド１４に沿って上昇するスリーブ体１６ａの上昇分だけ突出する。
続いて、他方のホルダーガイド１４を面板９の上方で右回転させると、この回転に伴って、他方のホルダーガイド１４のスリーブ体１６ａも螺進して最終的にホルダー１５が面板９の下面９ａに係止する。よって、ホルダー１５はアダプター７とによって面板９を挟着することになる。
【００２４】
この場合、前記傾斜面ｆ5 を緩やかなアールを有する凹形状にし、前記傾斜面ｆ4 を緩やかなアールを有する凸形状にしているので、ホルダーガイド１４，１４を回転操作によってホルダー１５，１５が第２姿勢の状態からずれるといった事態を確実に回避できる。つまり、ホルダー１５，１５を第２姿勢の状態に確実に位置決めできる。
【００２５】
上記構成の水栓取付け機構６によれば、ホルダーガイド１４，１４を回転操作するだけで、水栓取付け用のアダプター７を、面板９の上部に面板９上方から固定することができるのであって、爾後は、湯水混合栓１に接続の供給管２，３をアダプター７の供給管挿通孔１１に上方から挿通し、かつ、この湯水混合栓１の下部側をアダプター７に内嵌合させて、ビスｅ止め（図１、図２参照）することで、面板９に対する湯水混合栓１の一連の取り付けを、面板９上方での一人作業によって楽に行うことができる。そして、この実施形態では、２本のホルダーガイド１４，１４を設けたので、３本使用する場合に比して、供給管２，３の挿通をスムーズにできる利点を有する。
【００２６】
図６は、回転操作頭部Ｔを有するネジ部材１４と、抜け止め頭部ｔを有するリベット部材４０とをそれぞれホルダーガイドとして、これらのホルダーガイド１４，４０を、前記透孔１３に上方から回転可能に挿通し、かつ、ホルダーガイド１４，４０のそれぞれを前記貫通孔８に対しても挿通可能に構成して、これらホルダーガイド１４，４０に、前記貫通孔８を上方から通過する第１姿勢と、回転に伴って前記面部９の下面９ａに係止する第２姿勢とにそれぞれ切り換え可能にホルダー１５，１５を設けたこの発明の第２の実施形態を示す。なお、図６において、図１〜図５に示した符号と同一のものは、同一または相当物である。
【００２７】
この場合、ホルダーガイド１４を右ネジにした場合、ホルダーガイド１４を面板９の上方で右回転させると、この回転に伴って締付金具１６が、スベリ部材２４を介して第２姿勢に切り換えられた２個のホルダー１５を持ち上げる。
このとき、ホルダーガイド１４を右回転させると、ホルダーガイド１４に螺着している締付金具１６のスリーブ体１６ａがホルダーガイド１４に沿って螺進により上昇するのみならず、リベット部材４０に挿通されたスリーブ体１６ａもリベット部材４０に沿ってスライドすることにより上昇する。
よって、この実施形態では、ホルダーガイド１４を面板９の上方で右回転させるだけで、この回転に伴って、最終的にホルダー１５を面板９の下面９ａに係止させることができ、ホルダー１５はアダプター７とによって面板９を挟着することになる。
【００２８】
図７は、上部に回転操作頭部Ｔを有するネジ部材としての２本のホルダーガイド１４，１４を貫通孔８に挿通可能なようにアダプター７に設け、１個の締付金具１６に、各ホルダーガイド１４を螺着し、ホルダーガイド１４の回転による締付金具１６の螺進に伴ってホルダー１５を持ち上げて、このホルダー１５とアダプター７とによって面板９を挟着するように構成したこの発明の第３の実施形態を示す。なお、図７において、図１〜図６に示した符号と同一のものは、同一または相当物である。
【００２９】
そして、この実施形態では、２本のホルダーガイド１４，１４を設けたので、３本使用する場合に比して、供給管２，３の挿通をスムーズにできる利点を有する。
【００３０】
この場合、締付金具１６とホルダー１５の当接面ｆ8 ，ｆ9 を外下がりになる単一平面の傾斜面に形成しているが、締付金具１６とホルダー１５の当接面を外上がりになる傾斜面に形成してもよい。更に、締付金具１６とホルダー１５との当接面を水平面に形成してもよい。
【００３１】
【発明の効果】
以上説明したように、この発明によれば、湯水混合栓などの水栓を位置ずれはもとより傾きも生じさせないで、面板上方からの一人作業で見栄え良く取り付けることができる水栓取り付け機構が、施工時間の短縮を図り得るものにして提供される。
【００３２】
特に、ホルダーは自重で自然に開いて（回転して）第１姿勢から第２姿勢に切り換わるが、ホルダーと締付金具間に設けたスベリ座とスベリコアは樹脂製であることから、金属製のものに比してスベリ易い。つまり、潤滑性が良好であるから、必要に応じてアダプターを往復回転させてホルダーに回転方向の遠心力を与えなくても、ホルダーを確実に第２姿勢に切り換えさせることができる。
【図面の簡単な説明】
【図１】この発明の第１の実施形態における取付部材の締付状態を示す構成説明図である。
【図２】上記実施形態を示す分解斜視図である。
【図３】上記実施形態におけるホルダーの第１姿勢から第２姿勢に切り換わるときの動作を示す構成説明図である。
【図４】（Ａ）は上記実施形態におけるホルダーの第１姿勢を説明するための図である。
（Ｂ）は上記実施形態におけるホルダーの第２姿勢を説明するための図である
【図５】（Ａ）は上記実施形態における一対の樹脂製スベリ部材を示す構成説明図である。
（Ｂ）は上記実施形態における一対の樹脂製スベリ部材を示す斜視図である。
【図６】この発明の第２の実施形態を示す分解斜視図である。
【図７】この発明の第３の実施形態を示す構成説明図である。
【図８】従来の水栓取付手順を示す分解斜視図である。
【符号の説明】
１…湯水混合栓、２，３…供給管、６…水栓取付け機構、７…アダプター、８…貫通孔、９…面板、１１…挿通孔、１３…透孔、１４，１４…ホルダーガイド、１５，１５…ホルダー、１５ａ…係合孔、１８…挿通孔、１６…締付金具、２０…孔、２２…スベリコア、２３…スベリ座、２４…一対の樹脂製スベリ部材、２５…上部突起、Ｓ…ホルダー下面、Ｔ…回転操作頭部、ｆ3 ，ｆ4 、ｆ5 …当接面。
【図１】
0004138969.tif 000002
【図２】
0004138969.tif 000003
【図３】
0004138969.tif 000004
【図４】
0004138969.tif 000005
【図５】
0004138969.tif 000006
【図６】
0004138969.tif 000007
【図７】
0004138969.tif 000008
【図８】
0004138969.tif 000009